(57)【要約】  無線周波数（ＲＦ）エネルギーを使用してワイヤレスに充電するための装置は、第１および第２の充電エリアを有する第１の充電器位置を含む。第１および第２の充電エリアは、共通のプレーンに位置付けられ、各々はそれらの近接に置かれた充電受信デバイスをワイヤレスに充電するために少なくとも１つのコイルを有する。コイルは、反対の方向に巻かれる、それぞれの巻き線を含み、各コイルは、直列に接続され、各コイルは、少なくとも１つの充電受信デバイスを充電するように構成される。第２の充電器部分は、第３の充電エリアの近接に置かれた充電受信デバイスをワイヤレスに充電するために巻き線を含む少なくとも１つのコイルを有する第３の充電エリアを有し、第３の充電エリアにおけるコイルは、第１および第２の充電エリアにおけるコイルと直列に接続されており、第３の充電エリアは、第１および第２の充電エリアのプレーンに直交であるプレーンに位置付けられる。【選択図】      図１Ａ
2015501124.tif 000002
【特許請求の範囲】
【請求項１】
無線周波数（ＲＦ）エネルギーを使用してワイヤレスに充電するための装置であって、
第１および第２の充電エリアを有する第１の充電器部分と、前記第１および第２の充電エリアは、共通のプレーンに位置付けられ、前記第１および第２の充電エリアは各々、前記第１および第２の充電エリアのいずれかに近接して置かれた充電受信デバイスをワイヤレスに充電するために少なくとも１つのコイルを有し、前記第１および第２の充電エリアの各々における前記少なくとも１つのコイルは、それぞれの巻き線を備え、前記第１の充電エリアにおける前記コイルの前記巻き線は前記第２の充電エリアにおける前記コイルの前記巻き線のものと反対の方向に巻かれ、各コイルは、直列に接続され、各コイルは、少なくとも１つの充電受信デバイスを充電するように構成され、
第３の充電エリアを有する第２の充電器部分と、前記第３の充電エリアは、前記第３の充電エリアの近接に置かれた充電受信デバイスをワイヤレスに充電するために巻き線を備える少なくとも１つのコイルを有し、前記第３の充電エリアにおける前記コイルは、前記第１および第２の充電エリアにおける前記コイルと直列に接続されており、前記第３の充電エリアは、前記第１および第２の充電エリアのプレーンに直交であるプレーンに位置付けられる、
を備える、装置。
【請求項２】
各コイルは、複数の充電受信デバイスを充電するように構成される、請求項１に記載の装置。
【請求項３】
前記第１、第２、および第３の充電エリアのいずれかへの不特定の配列の近接に置かれた充電受信デバイスをさらに備え、前記第１および第２の充電エリアは、耳装着型充電受信デバイスを受信するように適合され、前記第３の充電エリアは、手首装着型充電受信デバイスを受信するように適合される、請求項１に記載の装置。
【請求項４】
充電エネルギーは、約６．７８ＭＨｚの周波数で転送される、請求項１に記載の装置。
【請求項５】
前記第１、第２、および第３の充電エリアのいずれかに関連付けられた前記コイルと前記充電受信デバイスに関連付けられたアンテナコイルとのエリアの比率は、約２対１から７対１の範囲に及ぶ、請求項１に記載された装置。
【請求項６】
前記コイルは、円筒コイル、平面コイル、およびプリントコイルから選ばれる、請求項１に記載の装置。
【請求項７】
前記プリントコイルは、軟質フィルム上で形成される、請求項６に記載の装置。
【請求項８】
前記第１の充電器部分および前記第２の充電器部分のいずれかで形成された凹部をさらに備え、アンテナコイルは、前記凹部の周辺に配置された円筒コイルとして構成され、前記凹部は充電受信デバイスを受信するように構成される、請求項１に記載の装置。
【請求項９】
各コイルと関連付けられたキャパシタおよびスイッチをさらに備え、導電性状態にあるときに前記スイッチが、関連付けられたコイルが充電エネルギーを生成するために電流を受信することを阻むように、前記スイッチは選択的に動作可能である、請求項１に記載の装置。
【請求項１０】
スイッチ、キャパシタ、およびコイルは充電構造を形成し、導電性状態にあるときに各それぞれのスイッチが、前記関連付けられたコイルが充電エネルギーを生成することを阻むように、複数の充電構造は、選択的に動作可能である、請求項９に記載の装置。
【請求項１１】
複数の充電構造は、多数の充電受信デバイスを充電するように構成され、前記充電受信デバイスの数は、充電構造の数と等しい、充電構造の数より大きい、または充電構造の数より小さいあらゆる数である、請求項１０に記載の装置。
【請求項１２】
無線周波数（ＲＦ）充電エネルギーを受信するように適合されたアンテナコイルと、
前記アンテナに結合された再充電可能な電力ソースと、前記アンテナコイルは、前記再充電可能な電力ソースに前記ＲＦ充電エネルギーを提供するように適合される、
を備える、手首装着型充電受信デバイス。
【請求項１３】
前記充電受信デバイスに関連付けられた金属含有アセンブリから前記アンテナンコイルを分離するフェライト磁気マテリアルをさらに備える、請求項１２に記載の手首装着型充電受信デバイス。
【請求項１４】
前記金属含有アセンブリが電子回路アセンブリを備える、請求項１３に記載の手首装着型充電受信デバイス。
【請求項１５】
前記アンテナコイルは、円筒コイル、平面コイル、およびプリントコイルから選ばれる、請求項１２に記載の手首装着型充電受信デバイス。
【請求項１６】
前記プリントコイルは、軟質フィルム上で形成される、請求項１５に記載の手首装着型充電受信デバイス。
【請求項１７】
充電エネルギーは、約６．７８ＭＨｚの周波数で転送される、請求項１２に記載の手首装着型充電受信デバイス。
【請求項１８】
前記アンテナコイルは、前記手首装着型デバイスのボディの裏面に隣接した前記手首装着型デバイスに位置付けられる、請求項１２に記載の手首装着型充電受信デバイス。
【請求項１９】
前記アンテナコイルは、前記手首装着型デバイス上のストラップに位置付けられる、請求項１２に記載の手首装着型充電受信デバイス。
【請求項２０】
前記アンテナコイルは、前記再充電可能な電力ソースに近接して位置付けられる、請求項１２に記載の手首装着型充電受信デバイス。
【請求項２１】
前記アンテナコイルは、前記手首装着型デバイスのボディの周りに巻かれる、請求項１２に記載の手首装着型充電受信デバイス。
【請求項２２】
無線周波数（ＲＦ）充電エネルギーを受信するように適合されたアンテナコイルと、
前記アンテナに結合された再充電可能な電力ソースと、前記アンテナコイルは、前記再充電可能な電力ソースに前記ＲＦ充電エネルギーを提供するように適合される、
を備える、耳装着型充電受信デバイス。
【請求項２３】
前記充電受信デバイスに関連付けられた金属含有アセンブリから前記アンテナンコイルを分離するフェライト磁気マテリアルをさらに備える、請求項２２に記載の耳装着型充電受信デバイス。
【請求項２４】
前記金属含有アセンブリが電子回路アセンブリを備える、請求項２３に記載の耳装着型充電受信デバイス。
【請求項２５】
前記金属含有アセンブリが前記再充電可能な電力ソースを備える、請求項２３に記載の耳装着型充電受信デバイス。
【請求項２６】
前記アンテナコイルは、円筒コイル、平面コイル、およびプリントコイルから選ばれる、請求項２２に記載の耳装着型充電受信デバイス。
【請求項２７】
前記プリントコイルは、軟質フィルム上で形成される、請求項２６に記載の耳装着型充電受信デバイス。
【請求項２８】
前記円筒コイルは、前記再充電可能な電力ソースの周りに巻き付けられる、請求項２６に記載の耳装着型充電受信デバイス。
【請求項２９】
充電エネルギーは、約６．７８ＭＨｚの周波数で転送される、請求項２２に記載の耳装着型充電受信デバイス。
【請求項３０】
無線周波数（ＲＦ）充電エネルギーを受信するように適合されたアンテナコイルと、
前記アンテナコイルに結合された再充電可能な電力ソースと、前記アンテナコイルは、前記再充電可能な電力ソースに前記ＲＦ充電エネルギーを提供するように適合される、
充電受信デバイスに関連付けられた金属含有アセンブリから前記アンテナンコイルを分離するフェライト磁気マテリアルと、
を備える、充電受信デバイス。
【請求項３１】
前記充電受信デバイスは、手首装着型デバイスおよび耳装着型デバイスから選ばれる、請求項３０に記載の充電受信デバイス。
【請求項３２】
前記金属含有アセンブリが電子回路アセンブリを備える、請求項３０に記載の充電受信デバイス。
【請求項３３】
前記金属含有アセンブリが前記再充電可能な電力ソースを備える、請求項３０に記載の充電受信デバイス。
【請求項３４】
前記アンテナコイルは、円筒コイル、平面コイル、およびプリントコイルから選ばれる、請求項３０に記載の充電受信デバイス。
【請求項３５】
前記プリントコイルは、軟質フィルム上で形成される、請求項３４に記載の充電受信デバイス。
【発明の詳細な説明】
【関連出願の相互参照】
【０００１】
[0001] 本願は、２０１１年１２月５日に出願され、「ＡＰＰＡＲＡＴＵＳ  ＦＯＲ  ＷＩＲＥＬＥＳＳ  ＤＥＶＩＣＥ  ＣＨＡＲＧＩＮＧ  ＵＳＩＮＧ  ＲＡＤＩＯ  ＦＲＥＱＵＥＮＣＹ  （ＲＦ）  ＥＮＥＲＧＹ  ＡＮＤ  ＤＥＶＩＣＥ  ＴＯ  ＢＥ  ＷＩＲＥＬＥＳＳＬＹ  ＣＨＡＲＧＥＤ」という名称の米国仮特許出願第６１／５６６８９４号に優先権、および利益を主張し、その全体の開示はここで、参照により本文書に組み込まれる。
【背景技術】
【０００２】
[0002] セルラ式電話のような、ポータブル通信デバイスは、高い頻度で、ワイヤレスヘッドセット、および他の小型フォームファクタデバイスと共に使用される。さらに、より小型のデバイスに対してポータブルセルラ式電話の機能を分配することになる、ポータブル通信デバイスのためのアプリケーションが存在することが想像される。１つのそのようなアプリケーションは、ポータブルセルラ式電話として機能するワイヤレスヘッドセットまたはイヤピースとペアリングされうる小型の手首装着型デバイスの使用である。ＧＰＳに基づく位置付けおよびナビゲーション、ならびに他の機能のような、他のデバイス機能もまた、手首装着型デバイスに組み込まれることができる。これらのデバイスの各々に対する共通の要求は、それらが通常、再充電可能なバッテリのような、小型の再充電可能な電力ソースによって電力供給されることである。標準の動作条件下では、再充電可能なバッテリは、高い頻度で再充電されなければならない。バッテリを再充電する１つの形式は、家庭用の交流電流（ＡＣ）ソースがデバイスに直接充電エネルギーを供給するように要求するワイヤード（Ｗｉｒｅｄ）充電器を使用することである。ワイヤード充電配列での１つの課題は、充電されるべきデバイスが、充電器上の対応するコネクタが接続されているコネクタポートを含まなければならないことである。そのようなコネクタは、物理的な空間を要求し、防水のまたは耐水のパッケージを提供するデバイスの格納装置（ｅｎｃｌｏｓｕｒｅ）を密封することを困難にする。
【０００３】
[0003] 充電がワイヤード接続手段（ｃｏｎｎｅｃｔｉｏｎ）を求める必要性なしで生じることが望ましいだろう。さらにワイヤレスに充電することは、デバイスが外部の充電接続手段なしで製造されることを可能にし、このことは防水の、または耐水のパッケージの組み立て（ｆａｂｒｉｃａｔｉｏｎ）を容易にする。ワイヤレスに充電することはまた、ユーザに動きの自由を提供し、複数のデバイスが同時に充電されることを可能にする。ワイヤレス充電接続手段から利益を得ることができるデバイスの例は、ワイヤレスヘッドセット、多機能腕時計、手首装着型ディスプレイまたは他の手首装着型デバイス、補聴器、電子イヤピース、または他のデバイスを含むけれども限定されない。
【発明の概要】
【０００４】
[0004] 無線周波数（ＲＦ）エネルギーを使用してワイヤレスにデバイス充電するための装置およびワイヤレスに充電されるべきデバイスが記述されている。実施形態では、無線周波数（ＲＦ）エネルギーを使用してワイヤレスに充電するための装置は、第１および第２の充電エリアを有する第１の充電器位置を含む。第１および第２の充電エリアは、共通のプレーンに位置付けられ、第１および第２の充電エリアは各々、第１および第２の充電エリアのいずれかの近接に置かれた充電受信デバイスをワイヤレスに充電するための少なくとも１つのコイルを有する。第１および第２の充電エリアの各々における少なくとも１つのコイルは、それぞれの巻き線を含み、第１の充電エリアにおけるコイルの巻き線は、第２の充電エリアにおけるコイルの巻き線のものと逆の方向に巻かれ、各コイルは、直列に接続され、各コイルは、少なくとも１つの充電受信デバイスを充電するように構成される。第２の充電器部分は、第３の充電エリアを有し、第３の充電エリアは、第３の充電エリアの近接に置かれた充電受信デバイスをワイヤレスに充電するための巻き線を含む少なくとも１つのコイルを有し、第３の充電エリアにおけるコイルは、第１および第２の充電エリアにおけるコイルと直列に接続されており、第３の充電エリアは、第１および第２の充電エリアのプレーンに直交であるプレーンに位置付けられる。
【０００５】
[0005] 実施形態では、手首装着型充電受信デバイスは、無線周波数（ＲＦ）充電エネルギーを受信するように適合されたアンテナコイルおよびアンテナコイルに結合された再充電可能な電力ソースを含み、アンテナコイルは、再充電可能な電力ソースにＲＦ充電エネルギーを提供するように適合される。
【０００６】
[0006] 実施形態では、耳装着型充電受信デバイスは、無線周波数（ＲＦ）充電エネルギーを受信するように適合されたアンテナコイルおよびアンテナコイルに結合された再充電可能な電力ソースを含み、アンテナコイルは、再充電可能な電力ソースにＲＦ充電エネルギーを提供するように適合される。
【０００７】
[0007] 実施形態では、充電受信デバイスは、無線周波数（ＲＦ）充電エネルギーを受信するように適合されたアンテナコイル、アンテナコイルに結合された再充電可能な電力ソース、アンテナコイルは、再充電可能な電力ソースにＲＦ充電エネルギーを提供するように適合され、およびアンテナコイルを、充電受信デバイスに関連付けられた金属含有アセンブリから分離するフェライト磁気マテリアルを含む。
【図面の簡単な説明】
【０００８】
[0008] 図面では、他の方法で示されていない限り、同じ参照番号が、様々なビュー全体を通じて、同じ部分を指す。「１０２ａ」または「１０２ｂ」のような文字指定を有する参照番号では、文字指定は、同じ図面にある２つの同じ部分または要素を区別することができる。参照番号に対する文字指定は、参照番号が全ての図面における同じ参照番号を有する全ての部分を包含することが意図されているとき、省略されることができる。
【図１Ａ】ワイヤレス充電器の第１の実施形態を例示する概略図である。
【図１Ｂ】図１Ａのワイヤレス充電器の代わりのビューである。
【図２Ａ】ワイヤレス充電器の第２の実施形態を例示する概略図である。
【図２Ｂ】図２Ａのワイヤレス充電器の代わりのビューを例示している。
【図３】図２Ａおよび図２Ｂのワイヤレス充電器のプランビューを例示する概略図である。
【図４】図３のワイヤレス充電器の代わりの実施形態を例示する概略図である。
【図５】図３のワイヤレス充電器の代わりの実施形態を例示する概略図である。
【図６】上で記述されたコイルの配列の代わりの実施形態を例示する概略図である。
【図７】充電されるべきデバイスを例示する概略図である。
【図８】充電されるべきデバイスの代わりの実施形態を例示する概略図である。
【図９】充電されるべきデバイスを例示する概略図である。
【図１０Ａ】図９の手首装着型デバイスの異なる例の実施形態を例示する概略図である。
【図１０Ｂ】図９の手首装着型デバイスの異なる例の実施形態を例示する概略図である。
【図１０Ｃ】図９の手首装着型デバイスの異なる例の実施形態を例示する概略図である。
【図１０Ｄ】図９の手首装着型デバイスの異なる例の実施形態を例示する概略図である。
【図１１】図１Ａのワイヤレス充電器の一部の実施形態を例示する概略図である。
【図１２】図１Ａのワイヤレス充電器の一部の代わりの実施形態を例示する概略図である。
【詳細な説明】
【０００９】
[0023] 「例示的（ｅｘｅｍｐｌａｒｙ）」という用語は、「例、実例、または例示としての役目をする」を意味するようにここでは使用される。「例示的」としてここに記述されるあらゆる態様は、必ずしも、他の態様よりも好ましい、または有利であると解釈されるべきではない。
【００１０】
[0024] 本記述では、「アプリケーション（ａｐｐｌｉｃａｔｉｏｎ）」という用語もまた、オブジェクトコード、スクリプト、バイトコード、マークアップ言語ファイル、およびパッチのような実行可能なコンテンツを有するファイルを含むことができる。加えて、ここで指し示される「アプリケーション」はまた、開かれる必要がありうる文書、またはアクセスされる必要がある他のデータファイルのような、本質的に実行可能ではないファイルを含むことができる。
【００１１】
[0025] 「コンテンツ（ｃｏｎｔｅｎｔ）」という用語もまた、オブジェクトコード、スクリプト、バイトコード、マークアップ言語ファイル、およびパッチのような実行可能なコンテンツを有するファイルを含むことができる。加えて、ここで指し示される「コンテンツ」はまた、開かれる必要がありうる文書、またはアクセスされる必要がある他のデータファイルのような、本質的に実行可能ではないファイルを含むことができる。
【００１２】
[0026]本記述で使用されているように、「コンポーネント（ｃｏｍｐｏｎｅｎｔ）」、「データベース（ｄａｔａｂａｓｅ）」、「モジュール（ｍｏｄｕｌｅ）」、「システム（ｓｙｓｔｅｍ）」等の用語は、ハードウェア、ファームウェア、ハードウェアとソフトウェアの組み合わせ、ソフトウェア、または実行中のソフトウェアのいずれか、のコンピュータ関連エンティティを指し示すように意図されている。例えば、コンポーネントは、プロセッサ上で実行中のプロセス、プロセッサ、オブジェクト、実行ファイル、実行のスレッド、プログラム、および／またはコンピュータでありうるけれども限定されない。例示として、コンピューティングデバイス上で実行中のアプリケーションと、コンピューティングデバイスとの両方がコンポーネントでありうる。１つまたは複数のコンポーネントは、実行のプロセスおよび／またはスレッド内に存在することができ、コンポーネントは、１つのコンピュータ上で局所化、および／または、２つ以上のコンピュータ間で分散されることができる。加えて、これらのコンポーネントは、様々なデータ構造を記憶した様々なコンピュータ可読媒体により実行することができる。コンポーネントは、１つまたは複数のデータパケット（ローカルシステム中の、分散システム中の別のコンポーネントと相互動作する１つのコンポーネントからのデータ、および／または、インターネットのようなネットワークにわたって信号を介して他のシステムと対話する相互動作する１つのコンポーネントからのデータ）を有する信号にしたがうような、ローカルおよび／またはリモートプロセスによって通信することができる。
【００１３】
[0027] ＲＦエネルギーを使用してワイヤレスにデバイス充電するための装置は、「パーソナル通信ハブ」と指し示されるものに組み込まれることができる。パーソナル通信ハブは、ワイヤレスヘッドセット、イヤピース、または他のデバイスを伴う通信デバイス、パーソナルデジタルアシスタント、または別のパーソナル電子通信デバイスを含むことができる。例として、パーソナル通信ハブは、通信デバイスおよび／またはディスプレイデバイスとして機能する手首装着型デバイス、および手首装着型デバイスにワイヤレスに結合されるワイヤレスイヤピースまたはヘッドセットを含むことができる。ワイヤレスイヤピースまたはヘッドセットは、可聴式（ａｕｄｉｂｌｅ）通信のために使用される。これらのデバイスは、再充電可能な電力ソースによって電力供給され、再充電可能な電力ソースは、充電システムまたは充電局によって充電される。充電システムは、ワイヤレス電力送信機としても指し示される。
【００１４】
[0028] 図１Ａは、ワイヤレス充電器１００の第１の実施形態を例示する概略図である。ワイヤレス充電器１００は、第１の充電器部分１１０および第２の充電器部分１２０を備える。実施形態では、第１の充電器部分１１０は、第１の要素１１０−１および第２の要素１１０−２を備え、それらは、例えば、ピボット軸（図示せず）で共に回転可能に結合される等、移動可能に共に結合されうる。実施形態では、要素１１０−１および要素１１０−２は、図１Ａで図示されているように、それらが合わせて折りたたまれる（ｃｏｌｌａｐｓｅｄ  ｔｏｇｅｔｈｅｒ）または開かれることができるように、ピボットポイントの周りを回転することができる。
【００１５】
[0029] 実施形態では、第１の充電器部分１１０の要素１１０−２は、耳装着型デバイスを充電するために適合されることができ、第２の充電器部分１２０は、手首装着型デバイスを充電するために適合されることができる。第２の充電器部分１２０は、ヒンジ１２２を使用して、第１の充電器部分１１０の要素１１０−１に隣接して位置付けられうる。ヒンジ１２２は、第２の充電器部分１２０の主軸が第１の充電器部分１１０の主軸に実質的に直交する部分に回転されることを可能にしうる。
【００１６】
[0030] 第１の充電器部分１１０の要素１１０−２は、充電エリア１３２および充電エリア１３４を備える。アンテナ１２４は、充電エリア１３２に近接して位置付けられ、アンテナ１２６は、充電エリア１３４に近接して位置付けられる。実施形態では、充電エリア１３２および充電エリア１３４は、凹部（ｒｅｃｅｓｓ）またはくぼみ（ｄｅｐｒｅｓｓｉｏｎ）を備える。図１Ａで図示されている実施形態では、アンテナ１２４は充電エリア１３２を囲い、アンテナ１２６は充電エリア１３４を囲う。
【００１７】
[0031] 第２の充電器部分１２０は充電エリア１３６を備える。アンテナ１２８は、充電エリア１３６に近接して位置付けられる。実施形態では、アンテナ１２４、１２６、および１２８のいずれも、円筒形状に、または平面形状に複数巻きの導電コイルを形成するように、導線のような、導電マテリアルを使用して組み立てられることができる、または軟質フィルム上で形成されるプリントコイルのような、プリント構造としてインプリメントされうる。充電されるべきデバイスは、適切なアンテナ１２４、１２６、および１２８に近接して置かれ、充電はＲＦエネルギー結合を介して生じる。実施形態では、アンテナ１２４、１２６、および１２８が全て、デバイスを充電することにより高い効率を提供するために直列で接続されるように導電線の連続した長さを使用して、アンテナ１２４、１２６は、円筒コイル１５２および１５４（図１Ｂ）としてそれぞれ形成されることができ、アンテナ１２８は平面コイル１５６（図１Ｂ）として形成されることができる。さらに、望まれる場合、アンテナ１２４および１２６は、ワイヤレス充電器１００の全体のサイズを縮小するために可能な限り互いに近くなるように位置付けられる。さらに、円筒コイル１５２の巻き線は、コイル間の干渉を低減するために、円筒コイル１５４の巻き線のものと反対の方向に巻かれうる。
【００１８】
[0032] 図１Ｂは、図１Ａのワイヤレス充電器１００の代わりのビューである。図１Ｂにおける例示は、充電されるべきデバイスを図示しており、この充電されるべきデバイスは、この例では、充電エリア１３２および１３４にそれぞれ位置付けられた、耳装着型デバイス１４２および１４４である。
【００１９】
[0033] 実施形態では、コネクタおよび回路１６２（図１Ａに図示されている）は、アンテナ１２４、１２６、および１２８に無線周波数（ＲＦ）充電エネルギーを供給する。しかしながら、代わりの実施形態では、アンテナ１２４、１２６、および１２８に充電エネルギーを伝達する回路は、ワイヤレス充電器１００内に位置付けられることができ、外部のコネクタは存在しないことになる。実施形態では、回路カードアセンブリ１６４は、外部で生成されたＲＦ信号を受信し、充電エネルギーを生成することができる。別の実施形態では、ＤＣ電力は、例えば、ワイヤレス充電器１００に関連付けられた回路カードアセンブリ１６４にＡＣソースからＤＣ電力を供給する、例えば壁掛け式のＡＣ／ＤＣアダプタによって回路カードアセンブリに伝達されうる。回路カードアセンブリは、ＤＣ電力を受信し、例えば６．７８ＭＨｚでＲＦ信号を生成し、アンテナ１２４、１２６、および１２８にＲＦエネルギーを供給することができる。実施形態では、耳装着型デバイスを充電するための複数巻きの円筒コイル１５２および１５４は、（接地のプレーンに平行の）水平プレーンに位置付けられ、手首装着型デバイスを充電するための複数巻きの平面コイル１５６は、（接地のプレーンに直角な）垂直プレーンに位置付けられる。実施形態では、および、第１の充電器部分１１０に対する第２の充電器部分１２０の直交方位に起因して、回路カードアセンブリ１６４は、第２の充電器部分１２０の反対側の第１の充電器部分１１０に搭載されることができ、ならびに第２の充電器部分１２０に対する近接の結果として、ＲＦ干渉を受けない、あるいはフィールドの低下を受けない。回路カードアセンブリ１６４の主要な面に対するアンテナ１２８の主要な面の直交方位は、アンテナ１２８から回路カードアセンブリ１６４へのＲＦおよび誘導結合を低減する。
【００２０】
[0034] 充電電力を提供するためにＲＦエネルギーを使用することは、充電されるべきデバイスが、指定の方位を要求することなくアンテナ１２４、１２６および１２８内に、またはアンテナ１２４、１２６および１２８に隣接して置かれることを可能にする。例えば、各充電エリア１３２および１３４における各耳装着型デバイス１４２および１４４の指定の方位は、例えば、耳装着型デバイス１４２、１４４が充電エリア１３２、１３４のそれぞれに近接して位置付けられるとき、充電がアンテナ１２４とデバイス１４２との間で生じるために重要ではない。近接にアンテナ１２４が凹部の垂直の壁の周りに巻かれる充電エリア１３２を形成する凹部は、アンテナ１２４から耳装着型デバイス１４２に充電エネルギーを転送する助けをする。同様に、近接にアンテナ１２６が凹部の垂直の壁の周りに巻かれる充電エリア１３４を形成する凹部は、アンテナ１２６から耳装着型デバイス１４４に充電エネルギーを転送する助けをする。
【００２１】
[0035] 図２Ａは、ワイヤレス充電器の第２の実施形態を例示する概略図である。ワイヤレス充電器２００は、第１の充電器部分２１０および第２の充電器部分２２０を備える。実施形態では、第１の充電器部分２１０は、耳装着型デバイスを充電するために適合されることができ、第２の充電器部分２２０は、手首装着型デバイスを充電するために適合されることができる。第２の充電器部分２２０は、ヒンジ２２２を使用して、第１の充電器部分２１０に近接して位置付けられうる。ヒンジ２２２は、第２の充電器部分２２０の主軸が第１の充電器部分２１０の主軸に実質的に直交する部分に回転されることを可能にしうる。
【００２２】
[0036] 図２Ｂは、図２Ａのワイヤレス充電器の代わりのビューを例示している。ワイヤレス充電器２００は、第２の充電器部分２２０の主軸が第１の充電器部分２１０の主軸に実質的に直交するように、第２の充電器部分２２０がヒンジ２２２上の垂直部分に回転されることを図示している。
【００２３】
[0037] 第１の充電器部分２１０は、充電エリア２３２および充電エリア２３４を備える。アンテナ２２４は、充電エリア２３２に近接して位置付けられ、アンテナ２２６は、充電エリア２３４に近接して位置付けられる。実施形態では、充電エリア２３２および充電エリア２３４は、凹部またはくぼみを備える。図２Ｂで図示されている実施形態では、アンテナ２２４は充電エリア２３２を囲い、アンテナ２２６は充電エリア２３４を囲う。
【００２４】
[0038] 第２の充電器部分２２０は充電エリア２３６を備える。アンテナ２２８は、充電エリア２３６に近接して位置付けられる。実施形態では、アンテナ２２４、２２６、および２２８のいずれも、円筒形状に、または平面形状に複数巻きの導電コイルを形成するように、導線のような、導電マテリアルを使用して組み立てられることができる、または軟質フィルム上で形成されるプリントコイルのような、プリント構造としてインプリメントされうる。充電されるべきデバイスは、適切なアンテナ２２４、２２６、および２２８に近接して置かれ、充電が、例えば、約６．７８ＭＨｚのような、適した周波数でＲＦエネルギー結合を介して生じることができる。実施形態では、アンテナ２２４、２２６、および２２８が全て、デバイスを充電することにより高い効率を提供するために直列で接続されるように導電線の連続した長さを使用して、アンテナ２２４、２２６は、円筒コイル２５２および２５４としてそれぞれ形成されることができ、アンテナ２２８は平面コイル２５６として形成されることができる。さらに、円筒コイル２５２の巻き線は、コイル間の干渉を低減するために、円筒コイル２５４の巻き線のものと反対の方向に巻かれる。
【００２５】
[0039] コネクタおよび回路は（図２Ａおよび図２Ｂにおいては図示されていない）は、アンテナ２２４、２２６、および２２８に無線周波数（ＲＦ）充電エネルギーを供給する。実施形態では、耳装着型デバイスを充電するための複数巻きの円筒コイル２５２および２５４は、（接地のプレーンに平行の）水平プレーンに位置付けられ、手首装着型デバイスを充電するための複数巻きの平面コイル２５６は、（接地のプレーンに直角な）垂直プレーンに位置付けられる。実施形態では、および、第１の充電器部分２１０に対する第２の充電器部分２２０の直交方位に起因して、回路カードアセンブリ２６４は、第２の充電器部分２２０の反対側の第１の充電器部分２１０に搭載されることができ、ならびに第２の充電器部分２２０に対する近接の結果として、ＲＦ干渉を受けない、すなわちフィールドの低下を受けない。回路カードアセンブリ２６４の主要な面に対するアンテナ２２８の主要な面の直交方位は、アンテナ２２８から回路カードアセンブリ２６４へのＲＦおよび誘導結合を低減する。
【００２６】
[0040] 図１Ａおよび図１Ｂに関して上で記述されたように、充電電力を提供するためにＲＦエネルギーを使用することは、充電されるべきデバイスが、指定の方位を要求することなくアンテナ２２４、２２６および２２８内に、またはアンテナ２２４、２２６および２２８に隣接して置かれることを可能にする。
【００２７】
[0041] 図３は、図２Ａおよび図２Ｂのワイヤレス充電器のプランビューを例示する概略図である。図３において図示されている実施形態では、アンテナ２２４および２２６は、円筒コイル２５２および２５４としてインプリメントされ、アンテナ２２８は、平面コイル２５６としてインプリメントされる。実施形態では、円筒コイル２５２および２５４は、イヤピース１４２および１４４を充電するように使用されることができ、平面コイル２５６は、手首装着型デバイス（図示せず）を充電するように使用されることができる。各アンテナ２２４、２２６、および２２８の設計は、複数巻きコイルを備え、複数巻きコイルは全て、デバイスを充電することにより高い効率を提供するために直列に接続されうる。実施形態では、円筒コイル２５２の巻き線は、コイル間の干渉を低減するために、円筒コイル２５４の巻き線のものと反対の方向に巻かれる。
【００２８】
[0042] 実施形態では、円筒コイル２５２および２５４は、５回巻きの２６ＡＷＧワイヤを備え、約５ミリメータ（ｍｍ）単位で分離される。平面コイル２５６は、５回巻きの２６ＡＷＧワイヤを備えることができ、円筒コイル２５２および２５４が位置付けられるプレーンに直交するプレーンに位置付けられる。実施形態では、各円筒コイル２５２および２５４のエリアは、約５０ｍｍ×５０ｍｍであり、平面コイル２５６のエリアは、約３５ｍｍ×４０ｍｍである。
【００２９】
[0043] コネクタおよび回路２６２は、アンテナ２２４、２２６、および２２８に無線周波数（ＲＦ）充電エネルギーを供給する。実施形態では、耳装着型デバイスを充電するための複数巻きコイル２５２および２５４は、（接地のプレーンに平行の）水平プレーンに位置付けられ、手首装着型デバイスを充電するための複数巻きコイル２５６は、（接地のプレーンに直角な）垂直プレーンに位置付けられる。実施形態では、および、第１の充電器部分２１０に対する第２の充電器部分２２０の直交方位に起因して、回路カードアセンブリ２６４は、第２の充電器部分２２０の反対側の第１の充電器部分２１０に搭載されることができ、ならびに第２の充電器部分２２０に対する近接の結果として、ＲＦ干渉を受けない、すなわちフィールドの低下を受けない。回路カードアセンブリ２６４の主要な面に対するアンテナ２２８の主要な面の直交方位は、アンテナ２２８から回路カードアセンブリ２６４へのＲＦおよび誘導結合を低減する。
【００３０】
[0044] 充電電力を提供するためにＲＦエネルギーを使用することは、充電されるべきデバイスが、指定の方位を要求することなくアンテナ２２４、２２６および２２８内に、またはアンテナ２２４、２２６および２２に隣接して置かれることを可能にする。
【００３１】
[0045] 図４は、図３のワイヤレス充電器の代わりの実施形態を例示する概略図４００である。ワイヤレス充電器４００は、平面コイル３５２および３５４としてインプリメントされたアンテナ２２４および２２６、および平面コイル３５６としてインプリメントされたアンテナ２２８を備える。各アンテナ２２４、２２６、および２２８の設計は、複数巻きコイルを備え、複数巻きコイルは全て、デバイスを充電することにより高い効率を提供するために直列に接続される。実施形態では、平面コイル３５２の巻き線は、コイル間の干渉を低減するために、平面コイル３５４の巻き線のものと反対の方向に巻かれる。
【００３２】
[0046] 実施形態では、平面コイル３５２および３５４は、５回巻きの２６ＡＷＧワイヤを備え、約１２ミリメータ（ｍｍ）単位で分離される。平面コイル３５６は、５回巻きの２６ＡＷＧワイヤを備えることができ、円筒コイル３５２および３５４が位置付けられるプレーンに直交するプレーンに位置付けられる。実施形態では、各平面コイル３５２および３５４のエリアは、約４９ｍｍ×５７ｍｍであり、平面コイル３５６のエリアは、約３５ｍｍ×４０ｍｍである。
【００３３】
[0047] コネクタおよび回路３６２は、アンテナ２２４、２２６、および２２８にＲＦ充電エネルギーを供給する。実施形態では、平面コイル３５２および３５４は、耳装着型デバイス１４２および１４４を充電するように使用されることができ、平面コイル３５６は、手首装着型デバイス（図示せず）を充電するように使用されることができる。
【００３４】
[0048] 図５は、図３のワイヤレス充電器の代わりの実施形態を例示する概略図５００である。ワイヤレス充電器５００は、円筒コイル４５２としてインプリメントされるアンテナ２２６、および平面コイル４５６−１および４５６−２としてインプリメントされるアンテナ２２８（２２８−１および２２８−２）を備える。各アンテナ２２６、２２８−１、および２２８−２の設計は、複数巻きコイルを備え、複数巻きコイルは全て、デバイスを充電することにより高い効率を提供するために直列に接続される。
【００３５】
[0049] 実施形態では、円筒コイル４５２は、５回巻きの２６ＡＷＧワイヤを備える。平面コイル４５６−１および４５６−２は、５回巻きの２６ＡＷＧワイヤを備え、円筒コイル４５２が位置付けられるプレーンに直交するプレーンに位置付けられる。実施形態では、平面コイル４５２のエリアは、約４５ｍｍ×７５ｍｍであり、各平面コイル４５６−１および４５６−２のエリアは、約３５ｍｍ×４０ｍｍである。
【００３６】
[0050] コネクタおよび回路４６２は、アンテナ２２６、２２８−１、および２２８−２にＲＦ充電エネルギーを供給する。実施形態では、円筒コイル４５２は、１つまたは複数の耳装着型デバイス１４２および１４４を充電するように使用されることができ、平面コイル４５６−１および４５６−２は、手首装着型デバイス（図示せず）を充電するように使用されることができる。そのようなアプリケーションでは、手首装着型デバイスに関連付けられたアンテナコイルは、コイル４５６−１および４５６−２に対する手首装着型デバイスの方位に依存してコイル４５６−１または４５６−２のどちらかが手首装着型デバイスの電力ソースを充電することを可能にする手首装着型デバイスのストラップに位置付けられることができる。
【００３７】
[0051] 図６は、上で記述されたコイルの配列の代わりの実施形態を例示する概略図である。図６において図示されている図は、上で記述されたように、円筒コイルおよび／または平面コイルのあらゆる組み合わせを用いてインプリメントされることができる。回路配列６００は、コイル６０２、６１２、および６２２、キャパシタ６０４、６１４、および６２４、ならびにスイッチ６０６、６１６、および６２６を含む。実施形態では、キャパシタ６０４およびスイッチ６０６は、コイル６０２に関連付けられ、キャパシタ６１４およびスイッチ６１６はコイル６１２に関連付けられ、キャパシタ６２４およびスイッチ６２６は、コイル６２２に関連付けられる。３つのコイル６０２、６１２、および６２２が簡略化のために図示されている。あらゆる数のコイルが、充電器の設計に依存して、インプリメントされることができる。実施形態では、コイル、キャパシタ、およびスイッチは、充電構造を形成する。コイル６０２、キャパシタ６０４、およびスイッチ６０６は、充電構造６１０を形成する。コイル６１２、キャパシタ６１４、およびスイッチ６１６は、充電構造６２０を形成する。コイル６２２、キャパシタ６２４、およびスイッチ６２６は、充電構造６３０を形成する。
【００３８】
[0052] 多くのそのような充電構造は、多くの充電受信デバイスを充電するように構成される。各充電構造が単一の充電受信デバイスを充電するように構成される実施形態では、充電受信デバイスの数は、充電構造の数と等しい、あるいは充電構造のかより小さいあらゆる数でありうる。各充電構造が１つ以上の充電受信デバイスを充電するように構成される実施形態では、充電受信デバイスの数は、充電構造の数と等しい、充電構造の数より大きい、または充電構造の数より小さいあらゆる数でありうる。
【００３９】
[0053] 実施形態では、キャパシタ６０４は、コイル６０２に電気的に整合され、キャパシタ６１４はコイル６１２に電気的に整合され、ならびにキャパシタ６２４はコイル６２２に電気的に適合される。それぞれのコイルにキャパシタを電気的に整合することは、それぞれのコイルに回路／ＣＣＡ（図６には図示せず）のインピーダンスおよびインダクタンスを整合することによって、充電エネルギーの転送を最大化する。
【００４０】
[0054] コンダクタ６２９は、キャパシタ６０４およびスイッチ６０６に結合され、コンダクタ６３１は、コイル６２２およびスイッチ６２６に結合される。コンダクタ６２９および６３１は、特定のインプリメンテーションに依存して、回路１６２、２６２、３６２、または４６２のいずれかにならびに／あるいは回路カードアセンブリ１６４および／または２６４に結合される。
【００４１】
[0055] いくつかのインプリメンテーションでは、全てよりも少ない利用可能な充電構造を有効にすることが望ましい。複数の独立して切り替えられるコイルを有することは、全てよりも少ない利用可能な充電構造を使用して最大よりも少ない数の充電受信デバイスを充電するときに充電効率を向上させる。
【００４２】
[0056] 図６において図示されている実施形態では、スイッチ６０６、６１６、および６２６の各々は、そのそれぞれの関連付けられたキャパシタおよびコイルに選択的にバイパスするように選択的に制御されることができる。例えば、スイッチ６０６が閉じられているとき、コイル６０２およびキャパシタ６０４はバイパスされる。同様に、スイッチ６１６が閉じられているとき、コイル６１２およびキャパシタ６１４はバイパスされる。同様に、スイッチ６２６が閉じられているとき、コイル６２２およびキャパシタ６２４はバイパスされる。この形式で、開（非導電性）状態、または閉（導電性）状態にあるようにスイッチ６０６、６１６、および６２６を選択的に制御することによって、コイル６０２、６１２、および６２２は、回路６００に、および回路６００から切り替えられることができ、それにより、１つ、２つ、または３つの充電受信デバイスを充電するために充電構造６１０、６２０、および６３０のいずれかまたは全てを有効にしようとしなかろうと、最大効率を可能にする。最大よりも少ない数の充電受信デバイスを充電するときに充電受信デバイスを有さないあらゆるコイルをバイパスすることが望ましいので、コイル６０２、６１２、および６２２うちのいずれかの数を選択的にバイパスするこの能力は、望ましい。
【００４３】
[0057] スイッチ６０６、６１６、および６２６は、例のみとしてトランジスタのような半導体に基づくスイッチ等の、多くの方法を使用してインプリメントされうる。スイッチ論理６３５は、ハードウェア、ソフトウェア、ハードウェアとソフトウェアの組み合わせ、またはスイッチ６０６、６１６、および６２６の動作および状態を制御するためのあらゆる他の論理を含むことができる。スイッチ論理６３５はまた、少なくとも部分的に充電受信デバイスがコイルの近くまたは近接に位置付けられているかどうかによって、スイッチ６０６、６１６、および６２６の状態が制御されることができるように、例えば接続手段６３７をわたって、充電受信デバイスがコイル６０２、６１２、および６２２のいずれかに近接して置かれるかどうかに関する、１つまたは複数のセンサ入力信号を提供されることもできる。そのようなセンサ、または近接決定技術は当業者には既知である。スイッチ論理６３５はまた、接続手段６３９をわたって回路／ＣＣＡから電力および／または論理信号を受信し、それぞれの接続手段６４１、６４２、および６４３をわたってスイッチ６０６、６１６、および６２６にスイッチ制御信号を提供することもできる。
【００４４】
[0058] 例として、例えば各コイル６０２、６１２、および６２２に近接して位置付けられた１つの充電受信デバイス等の、少なくとも３つの充電受信デバイスを充電するために、３つの充電構造６１０、６２０、および６３０を有効にすることが望ましい場合、スイッチ６０６、６１６、および６２６の各々は開（非導電性）状態に置かれるように制御されることになる。スイッチ６０６、６１６、および６２６の各々を開状態にすることは、上で記述された回路または回路カードアセンブリによって提供される電流が、コンダクタ６２９および６３１を通って、ならびにそれぞれのキャパシタ６０４、６１４、および６２４、および関連付けられたコイル６０２、６１２、および６２２の各々を通って流れることを可能にする。
【００４５】
[0059] しかしながら、少なくとも３つよりも少ない充電受信デバイスを充電するために最大よりも少ない数の充電構造を有効にすることが望まれるとき、スイッチ６０６、６１６、および６２６の各々は、閉（導電性）状態または開（非導電性）状態のどちらかにあるように選択的に有効にされることができる。スイッチを開（非導電性）状態にすることは、充電エネルギーが関連付けられたコイルを通って流れることを可能にする。スイッチを閉（導電性）状態にすることは、充電エネルギーが関連付けられたコイルを通って流れることを阻む。
【００４６】
[0060] 例えば、少なくとも１つの充電受信デバイスを充電するためにコイル６０２を有効にすることが望まれる場合、スイッチ６０６が開（非導電性）状態に設定されることになる一方で、スイッチ６１６および６２６は閉（導電性）状態に置かれるように制御される。この形式で、充電電流は、コンダクタ６２９を通って、キャパシタ６０４をわたって、コンダクタ６０７を通って、コイル６０２を通って、コンダクタ６０８を通って、かつ閉スイッチ６１６および６２６を通って、ならびにコンダクタ６３１を通って流れることになり、それによりコイル６１２および６２２をバイパスする。
【００４７】
[0061] 同様に、例えば、少なくとも２つの充電受信デバイスを充電するためにコイル６０２およびコイル６１２を有効にすることが望ましい場合、スイッチ６０６および６１６が開（非導電性）状態に置かれるように制御されることになる一方で、スイッチ６２６は閉（導電性）状態に置かれるように制御されることになる。この形式で、充電電流は、上で記述されたようにコイル６０２を通って流れることになり、その後、スイッチ６１６が開（非導電性）であるので、電流は、キャパシタ６１４を通って、コンダクタ６１８を通って、コイル６１２を通って、コンダクタ６１７を通って、その後閉スイッチ６２６を通ってコンダクタ６３１に流れることになり、それによりコイル６２２およびキャパシタ６２４をバイパスする。
【００４８】
[0062] この形式で、スイッチ６０６、６１６、および６２６のいずれかは、充電構造６１０、６２０、および６３０を通る電流の流れを制御するために選択的に開または閉にされることができる。切り替えられるコイルを通った充電電流の流れを制御する能力を有することは、少なくとも３つよりも少ない充電受信デバイスを充電するために充電構造６１０、６２０、および６３０を使用するときに充電効率を向上させる。
【００４９】
[0063] 図７は充電されるべきデバイスを例示する概略図７００である。図７で提示されている実施形態では、デバイスは、イヤピース７０１のような耳装着型デバイスである。実施形態では、イヤピース７０１は再充電可能なバッテリ７０４のような、再充電可能な電力ソースを囲う磁気マテリアル７０２を備える。アンテナ７０６は、マテリアル７０２およびバッテリ７０４を囲う。アンテナ７０６およびバッテリ７０４は、アンテナ７０６によって受信される充電エネルギーがバッテリ７０４に回路カードアセンブリ７０８を介して転送されるように、回路カードアセンブリ７０８に電気的に結合される。磁気マテリアル７０２は、高い透磁率を有し、バッテリ７０４、回路カードアセンブリ７０８、およびイヤピース７０１上の他の金属マテリアルのような、金属マテリアルが存在している中で充電器のコイル（図７には図示せず）と耳装着型デバイスのコイルアンテナ７０６との間の磁場結合のあらゆる低減を和らげる支援をするフェライトでありうる。
【００５０】
[0064] 実施形態では、アンテナ７０６は、バッテリ７０４の周りに巻き付けられ、かつ直接付着する５回巻きの３０ＡＷＧワイヤを備える円筒コイルとしてインプリメントされる。アンテナは、アンテナ７０４と回路カードアセンブリ７０８との間の分離を増加させるためにバッテリ７０４の上面の端から配線される。実施形態では、磁気マテリアル７０２は、約０．３７５ｍｍの厚さを有することができ、品番ＫＮＺＦＡＣＡ３７ＱＬＯを使用するＰａｎａｓｏｎｉｃ（登録商標） Corporationから得られることができる。
【００５１】
[0065] 実施形態では、上で記述された第１、第２、および第３の充電エリアのいずれかに関連付けられたアンテナと、充電受信デバイスに関連付けられたアンテナとのエリアの比率は、約２対１から７対１の範囲に及ぶ。
【００５２】
[0066] 図８は、充電されるべきデバイスの代わりの実施形態を例示する概略図８００である。図８で図示されている実施形態では、デバイスは、イヤピース８０１のような耳装着型デバイスである。図８では、アンテナ８０６は、磁気マテリアル８０２に隣接して位置付けられる平面コイルとしてインプリメントされ、磁気マテリアル８０２は、回路カードアセンブリ８０８に隣接して位置付けられる。バッテリ８０４は、回路カードアセンブリ８０８に隣接して位置付けられ、アンテナ８０６からＲＦ充電エネルギーを受信するように適合される。
【００５３】
[0067] 実施形態では、アンテナ８０６は、磁気マテリアル８０２に隣接して位置付けられる５回巻きの３０ＡＷＧワイヤを備える平面コイルとしてインプリメントされ、磁気マテリアル８０２はバッテリ８０４に付着する。アンテナ８０６は、バッテリ８０４とは反対側にある磁気マテリアル８０２の表面に位置付けられる。実施形態では、磁気マテリアル８０２は、約０．３７５ｍｍの厚さを有することができ、品番ＫＮＺＦＡＣＡ３７ＱＬＯを使用するＰａｎａｓｏｎｉｃ Corporationから得られることができる。
【００５４】
[0068] 代わりの実施形態では、アンテナ７０６（図７）およびアンテナ８０６（図８）は、軟質フィルム上に形成されるプリントコイルのようなプリント構造としてインプリメントされうる。
【００５５】
[0069] 図９は充電されるべきデバイスを例示する概略図９００である。図９で図示されている実施形態では、デバイスは、腕時計９０１のような手首装着型デバイスである。手首装着型デバイスの代わりの実施形態は、パーソナルハブのためのディスプレイ、ポータブルなセルラ式タイプの電話、または別のデバイスのような手首装着型通信デバイス含むけれども限定されない。図９に図示されている実施形態では、腕時計９０１は、ボディ９１０、ブレスレットまたはストラップ９１２、およびバッテリ９０４を備える。この実施形態では、バッテリ９０４はボディ９１０の厚さを縮小するためにボディ９１０から遠隔に位置付けられる。しかしながら代わりの実施形態として、バッテリ９０４は、ボディ９１０に隣接して、またはブレスレット９１２上の別のロケーションに位置付けられることができる。
【００５６】
[0070] 図１０Ａから図１０Ｄは、図９の手首装着型デバイスの限定されない実施形態を例示する概略図である。図１０Ａから図１０Ｄに図示されている実施形態は、上で記述されたワイヤレス充電器によって充電されるべきデバイス上の充電エネルギー受信アンテナの異なる可能性のある構成およびロケーションを例示している。例えば、ならびに上で記述されているようにアンテナは、円筒形状に、または平面形状に複数巻きの導電コイルを形成するように、導線のような、導電マテリアルを使用して組み立てられることができる、または軟質フィルム上で形成されるプリントコイルのような、プリント構造としてインプリメントされうる。限定されない例として、アンテナは、手首装着型デバイスの後ろに位置付けられた平面コイル、手首装着型デバイスのブレスレットの内側に位置付けられた平面コイル、バッテリに隣接して位置付けられた平面コイル、手首装着型デバイスの前に位置付けられた平面コイル、手首装着型デバイスの周囲に位置付けられた円筒コイル、および手首装着型デバイスのバッテリの周りに巻き付けられた円筒コイルであることができる。代わりとしてアンテナは、アンテナの厚さを縮小するために上で記述されたように位置付けられる導電軟質マテリアルを使用して組み立てられた平面プリントコイルであることができる。
【００５７】
[0071] 図１０Ａで図示されている実施形態では、アンテナ１０１４は、手首装着型デバイスのボディ１０１０の背面に隣接して位置付けられる平面コイルとしてインプリメントされる。磁気マテリアル１００２は、アンテナ１０１４とボディ１０１０の背面との間で位置付けられる。磁気マテリアル１００２は、高い透磁率を有し、バッテリ９０４、回路カードアセンブリ、および手首装着型デバイス上の他の金属マテリアルのような、金属マテリアルが存在している中で充電器のコイル（図１０Ａには図示せず）と手首装着型デバイスのアンテナ１０１４との間の磁場結合のあらゆる低減を和らげる支援をするフェライトでありうる。
【００５８】
[0072] 図１０Ｂで図示されている実施形態では、アンテナ１０３４は、手首装着型デバイス１００１のブレスレット１０１２に隣接して位置付けられる平面コイルとしてインプリメントされる。
【００５９】
[0073] 図１０Ｃで図示されている実施形態では、アンテナ１０５４は、手首装着型デバイス１００１のバッテリ１０５６に隣接して位置付けられる平面コイルとしてインプリメントされる。
【００６０】
[0074] 図１０Ｄで図示されている実施形態では、アンテナ１０６４は、手首装着型デバイス１００１のボディ１０１０の周りに位置付けられる円筒コイルとしてインプリメントされる。
【００６１】
[0075] さらに、アンテナは、バッテリの周りに巻き付けられた円筒コイル、またはあらゆる他の構成のように、手首装着型デバイスの前に位置付けられうる。
【００６２】
[0076] 図１１は、図１Ａのワイヤレス充電器の一部の実施形態を例示する概略図１１００である。第１の充電器部分１１０の一部は、参照のために点線で図示されている耳装着型デバイス１４２のような充電されるべきデバイスが位置付けられることができる凹部１１０２を備える。実施形態では、断面で例示されている円筒アンテナ１１２４は、上で記述されたように組み立てられ、凹部１１０２の周辺に位置付けられることができる。そのような構成は、アンテナ１１２４から耳装着型デバイス１４２へのデバイスに転送されることができる充電エネルギーの量を増加させる。
【００６３】
[0077] 図１２は、図１Ａのワイヤレス充電器の一部の代わりの実施形態を例示する概略図１２００である。第１の充電器部分１１０の一部は、プリント平面コイルとしてインプリメントされるアンテナ１２２４および１２２６を備える。耳装着型デバイス１４２は、参照のために点線で図示されている。プリント平面コイルは、アンテナの厚さを縮小するために上で記述されたように位置付けられた導電性軟質または非軟質マテリアルを使用して組み立てられることができる。
【００６４】
[0078] 上の開示の点から、プログラミングの分野における当業者は難なく、例えば、本明細書におけるフローチャートおよび関連する記述に基づいて、開示された発明をインプリメントするための適切なハードウェアおよび／または回路を識別することが、またはコンピュータコードを書くことができる。したがって、特定のセットのプログラムコード命令または詳細なハードウェアデバイスの開示は、どのように本発明を製造および使用すべきかの十分な理解のために必要であると考えられない。特許請求の範囲における、コンピュータによってインプリメントされるプロセスの発明的な機能は、様々なプロセスフローを例示しうる図と関連して、ならびに上記の記述でより詳細に説明されている。
【００６５】
[0079] １つまたは複数の例示的な実施形態では、説明された機能は、ハードウェア、ソフトウェア、ファームウェア、またはこれらのあらゆる組み合わせでインプリメントされうる。ソフトウェアでインプリメントされた場合、機能は、１つまたは複数の命令またはコードとしてコンピュータ可読媒体上に記憶されうる、あるいは、１つまたは複数の命令またはコードとしてコンピュータ可読媒体上で送信されうる。コンピュータ可読媒体は、１つの場所から別の場所へのコンピュータプログラムの転送を容易にするあらゆる媒体を含むコンピュータ記憶媒体および通信媒体の両方を含む。記憶媒体は、コンピュータによってアクセスされうるあらゆる利用可能な媒体であることができる。限定ではなく例として、このようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは、命令またはデータ構造の形態で望ましいプログラムコードを搬送または記憶するために使用され、かつ、コンピュータによってアクセスされうるあらゆる他の媒体を備えることができる。
【００６６】
[0080] また、いずれの接続手段もコンピュータ可読媒体と適切に名づけられる。例えば、ソフトウェアが、ウェブサイトから、サーバから、または、同軸ケーブル、ファイバ光ケーブル、ツイストペア、デジタル加入者線（ＤＳＬ）、または赤外線や、無線や、マイクロ波のようなワイヤレス技術を使用している他の遠隔ソースから送信された場合、同軸ケーブル、ファイバ光ケーブル、ツイストペア、ＤＳＬ、または、赤外線や、無線や、マイクロ波のようなワイヤレス技術は、媒体の定義に含まれる。
【００６７】
[0081] ここで使用されているような、ディスク（Ｄｉｓｋ）およびディスク（ｄｉｓｃ）は、コンパクトディスク（ＣＤ）、レーザディスク（登録商標）、光学ディスク、デジタルバーサタイルディスク（ＤＶＤ）、フロッピー（登録商標）ディスク、およびブルーレイ（登録商標）ディスクを含み、ディスク（Ｄｉｓｋ）は大抵データを磁気的に再生する一方で、ディスク（ｄｉｓｃ）はデータをレーザで光学的に再生する。上の組み合わせもまた、コンピュータ可読媒体の範囲内に含まれるべきである。
【００６８】
[0082] 選択された態様は、詳細に例示および記述されているけれども、様々な代用および変更が、以下の特許請求の範囲によって定義されるように、本発明の趣旨および範囲から逸脱することなく、そこになされることができることは理解されることになる。
【図１Ａ】
2015501124.tif 000003
【図１Ｂ】
2015501124.tif 000004
【図２Ａ】
2015501124.tif 000005
【図２Ｂ】
2015501124.tif 000006
【図３】
2015501124.tif 000007
【図４】
2015501124.tif 000008
【図５】
2015501124.tif 000009
【図６】
2015501124.tif 000010
【図７】
2015501124.tif 000011
【図８】
2015501124.tif 000012
【図９】
2015501124.tif 000013
【図１０Ａ】
2015501124.tif 000014
【図１０Ｂ】
2015501124.tif 000015
【図１０Ｃ】
2015501124.tif 000016
【図１０Ｄ】
2015501124.tif 000017
【図１１】
2015501124.tif 000018
【図１２】
2015501124.tif 000019
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
無線周波数（ＲＦ）エネルギーを使用してワイヤレスに充電するための装置であって、
第１および第２の充電エリアを有する第１の充電器部分と、前記第１および第２の充電エリアは、共通のプレーンに位置付けられ、前記第１および第２の充電エリアは各々、前記第１および第２の充電エリアのいずれかに近接して置かれた充電受信デバイスをワイヤレスに充電するために少なくとも１つのコイルを有し、前記第１および第２の充電エリアの各々における前記少なくとも１つのコイルは、それぞれの巻き線を備え、前記第１の充電エリアにおける前記コイルの前記巻き線は前記第２の充電エリアにおける前記コイルの前記巻き線のものと反対の方向に巻かれ、各コイルは、直列に接続され、各コイルは、少なくとも１つの充電受信デバイスを充電するように構成され、
第３の充電エリアを有する第２の充電器部分と、前記第３の充電エリアは、前記第３の充電エリアの近接に置かれた充電受信デバイスをワイヤレスに充電するために巻き線を備える少なくとも１つのコイルを有し、前記第３の充電エリアにおける前記コイルは、前記第１および第２の充電エリアにおける前記コイルと直列に接続されており、前記第３の充電エリアの前記コイルは、前記第１および第２の充電エリアの各々の前記コイルのプレーンに直交であるプレーンに位置付けられる、
を備える、装置。
【請求項２】
各コイルは、複数の充電受信デバイスを充電するように構成される、請求項１に記載の装置。
【請求項３】
前記第１、第２、および第３の充電エリアのいずれかへの不特定の配列の近接に置かれた充電受信デバイスをさらに備え、前記第１および第２の充電エリアは、耳装着型充電受信デバイスを受信するように適合され、前記第３の充電エリアは、手首装着型充電受信デバイスを受信するように適合される、請求項１に記載の装置。
【請求項４】
充電エネルギーは、約６．７８ＭＨｚの周波数で転送される、請求項１に記載の装置。
【請求項５】
前記第１、第２、および第３の充電エリアのいずれかに関連付けられた前記コイルと前記充電受信デバイスに関連付けられたアンテナコイルとのエリアの比率は、約２対１から７対１の範囲に及ぶ、請求項１に記載された装置。
【請求項６】
前記コイルは、円筒コイル、平面コイル、およびプリントコイルから選ばれる、請求項１に記載の装置。
【請求項７】
前記プリントコイルは、軟質フィルム上で形成される、請求項６に記載の装置。
【請求項８】
前記第１の充電器部分および前記第２の充電器部分のいずれかで形成された凹部をさらに備え、アンテナコイルは、前記凹部の周辺に配置された円筒コイルとして構成され、前記凹部は充電受信デバイスを受信するように構成される、請求項１に記載の装置。
【請求項９】
各コイルと関連付けられたキャパシタおよびスイッチをさらに備え、導電性状態にあるときに前記スイッチが、関連付けられたコイルが充電エネルギーを生成するために電流を受信することを阻むように、前記スイッチは選択的に動作可能である、請求項１に記載の装置。
【請求項１０】
スイッチ、キャパシタ、およびコイルは充電構造を形成し、導電性状態にあるときに各それぞれのスイッチが、前記関連付けられたコイルが充電エネルギーを生成することを阻むように、複数の充電構造は、選択的に動作可能である、請求項９に記載の装置。
【請求項１１】
複数の充電構造は、多数の充電受信デバイスを充電するように構成され、前記充電受信デバイスの数は、充電構造の数と等しい、充電構造の数より大きい、または充電構造の数より小さいあらゆる数である、請求項１０に記載の装置。
【請求項１２】
無線周波数（ＲＦ）充電エネルギーを受信するように適合されたアンテナコイルと、
前記アンテナに結合された再充電可能な電力ソースと、前記アンテナコイルは、前記再充電可能な電力ソースに前記ＲＦ充電エネルギーを提供するように適合され、
充電受信デバイスに関連付けられた金属含有アセンブリから前記アンテナンコイルを分離するフェライト磁気マテリアルと、ここにおいて前記フェライト磁気マテリアルは、前記金属含有アセンブリが存在している中で充電コイルと前記アンテナコイルとの間の磁場結合の低減を和らげるように動作する、
を備える、手首装着型充電受信デバイス。
【請求項１３】
前記金属含有アセンブリが電子回路アセンブリを備える、請求項１２に記載の手首装着型充電受信デバイス。
【請求項１４】
前記アンテナコイルは、円筒コイル、平面コイル、およびプリントコイルから選ばれる、請求項１２に記載の手首装着型充電受信デバイス。
【請求項１５】
前記プリントコイルは、軟質フィルム上で形成される、請求項１４に記載の手首装着型充電受信デバイス。
【請求項１６】
充電エネルギーは、約６．７８ＭＨｚの周波数で転送される、請求項１２に記載の手首装着型充電受信デバイス。
【請求項１７】
前記アンテナコイルは、前記手首装着型デバイスのボディの裏面に隣接した前記手首装着型デバイスに位置付けられる、請求項１２に記載の手首装着型充電受信デバイス。
【請求項１８】
前記アンテナコイルは、前記手首装着型デバイス上のストラップに位置付けられる、請求項１２に記載の手首装着型充電受信デバイス。
【請求項１９】
前記アンテナコイルは、前記再充電可能な電力ソースに近接して位置付けられる、請求項１２に記載の手首装着型充電受信デバイス。
【請求項２０】
前記アンテナコイルは、前記手首装着型デバイスのボディの周りに巻かれる、請求項１２に記載の手首装着型充電受信デバイス。
【請求項２１】
無線周波数（ＲＦ）充電エネルギーを受信するように適合されたアンテナコイルと、
前記アンテナに結合された再充電可能な電力ソースと、前記アンテナコイルは、前記再充電可能な電力ソースに前記ＲＦ充電エネルギーを提供するように適合され、
充電受信デバイスに関連付けられた金属含有アセンブリから前記アンテナンコイルを分離するフェライト磁気マテリアルと、ここにおいて前記フェライト磁気マテリアルは、前記金属含有アセンブリが存在している中で充電コイルと前記アンテナコイルとの間の磁場結合の低減を和らげるように動作する、
を備える、耳装着型充電受信デバイス。
【請求項２２】
前記金属含有アセンブリが電子回路アセンブリを備える、請求項２１に記載の耳装着型充電受信デバイス。
【請求項２３】
前記金属含有アセンブリが前記再充電可能な電力ソースを備える、請求項２１に記載の耳装着型充電受信デバイス。
【請求項２４】
前記アンテナコイルは、円筒コイル、平面コイル、およびプリントコイルから選ばれる、請求項２１に記載の耳装着型充電受信デバイス。
【請求項２５】
前記プリントコイルは、軟質フィルム上で形成される、請求項２４に記載の耳装着型充電受信デバイス。
【請求項２６】
前記円筒コイルは、前記再充電可能な電力ソースの周りに巻き付けられる、請求項２４に記載の耳装着型充電受信デバイス。
【請求項２７】
充電エネルギーは、約６．７８ＭＨｚの周波数で転送される、請求項２１に記載の耳装着型充電受信デバイス。
【請求項２８】
無線周波数（ＲＦ）充電エネルギーを受信するように適合されたアンテナコイルと、
前記アンテナコイルに結合された再充電可能な電力ソースと、前記アンテナコイルは、前記再充電可能な電力ソースに前記ＲＦ充電エネルギーを提供するように適合され、
充電受信デバイスに関連付けられた金属含有アセンブリから前記アンテナンコイルを分離するフェライト磁気マテリアルと、ここにおいて前記フェライト磁気マテリアルは、前記金属含有アセンブリが存在している中で充電コイルと前記アンテナコイルとの間の磁場結合のいずれの低減も和らげるように動作する、
を備える、充電受信デバイス。
【請求項２９】
前記充電受信デバイスは、手首装着型デバイスおよび耳装着型デバイスから選ばれる、請求項２８に記載の充電受信デバイス。
【請求項３０】
前記金属含有アセンブリが電子回路アセンブリを備える、請求項２８に記載の充電受信デバイス。
【請求項３１】
前記金属含有アセンブリが前記再充電可能な電力ソースを備える、請求項２８に記載の充電受信デバイス。
【請求項３２】
前記アンテナコイルは、円筒コイル、平面コイル、およびプリントコイルから選ばれる、請求項２８に記載の充電受信デバイス。
【請求項３３】
前記プリントコイルは、軟質フィルム上で形成される、請求項３２に記載の充電受信デバイス。
【手続補正２】
【補正対象書類名】明細書
【補正対象項目名】００６８
【補正方法】変更
【補正の内容】
【００６８】
[0082] 選択された態様は、詳細に例示および記述されているけれども、様々な代用および変更が、以下の特許請求の範囲によって定義されるように、本発明の趣旨および範囲から逸脱することなく、そこになされることができることは理解されることになる。
以下に、本願出願の当初の特許請求の範囲に記載された発明を付記する。
［Ｃ１］
無線周波数（ＲＦ）エネルギーを使用してワイヤレスに充電するための装置であって、
第１および第２の充電エリアを有する第１の充電器部分と、前記第１および第２の充電エリアは、共通のプレーンに位置付けられ、前記第１および第２の充電エリアは各々、前記第１および第２の充電エリアのいずれかに近接して置かれた充電受信デバイスをワイヤレスに充電するために少なくとも１つのコイルを有し、前記第１および第２の充電エリアの各々における前記少なくとも１つのコイルは、それぞれの巻き線を備え、前記第１の充電エリアにおける前記コイルの前記巻き線は前記第２の充電エリアにおける前記コイルの前記巻き線のものと反対の方向に巻かれ、各コイルは、直列に接続され、各コイルは、少なくとも１つの充電受信デバイスを充電するように構成され、
第３の充電エリアを有する第２の充電器部分と、前記第３の充電エリアは、前記第３の充電エリアの近接に置かれた充電受信デバイスをワイヤレスに充電するために巻き線を備える少なくとも１つのコイルを有し、前記第３の充電エリアにおける前記コイルは、前記第１および第２の充電エリアにおける前記コイルと直列に接続されており、前記第３の充電エリアは、前記第１および第２の充電エリアのプレーンに直交であるプレーンに位置付けられる、
を備える、装置。
［Ｃ２］
各コイルは、複数の充電受信デバイスを充電するように構成される、［１］に記載の装置。
［Ｃ３］
前記第１、第２、および第３の充電エリアのいずれかへの不特定の配列の近接に置かれた充電受信デバイスをさらに備え、前記第１および第２の充電エリアは、耳装着型充電受信デバイスを受信するように適合され、前記第３の充電エリアは、手首装着型充電受信デバイスを受信するように適合される、［１］に記載の装置。
［Ｃ４］
充電エネルギーは、約６．７８ＭＨｚの周波数で転送される、［１］に記載の装置。
［Ｃ５］
前記第１、第２、および第３の充電エリアのいずれかに関連付けられた前記コイルと前記充電受信デバイスに関連付けられたアンテナコイルとのエリアの比率は、約２対１から７対１の範囲に及ぶ、［１］に記載された装置。
［Ｃ６］
前記コイルは、円筒コイル、平面コイル、およびプリントコイルから選ばれる、［１］に記載の装置。
［Ｃ７］
前記プリントコイルは、軟質フィルム上で形成される、［６］に記載の装置。
［Ｃ８］
前記第１の充電器部分および前記第２の充電器部分のいずれかで形成された凹部をさらに備え、アンテナコイルは、前記凹部の周辺に配置された円筒コイルとして構成され、前記凹部は充電受信デバイスを受信するように構成される、［１］に記載の装置。
［Ｃ９］
各コイルと関連付けられたキャパシタおよびスイッチをさらに備え、導電性状態にあるときに前記スイッチが、関連付けられたコイルが充電エネルギーを生成するために電流を受信することを阻むように、前記スイッチは選択的に動作可能である、［１］に記載の装置。
［Ｃ１０］
スイッチ、キャパシタ、およびコイルは充電構造を形成し、導電性状態にあるときに各それぞれのスイッチが、前記関連付けられたコイルが充電エネルギーを生成することを阻むように、複数の充電構造は、選択的に動作可能である、［９］に記載の装置。
［Ｃ１１］
複数の充電構造は、多数の充電受信デバイスを充電するように構成され、前記充電受信デバイスの数は、充電構造の数と等しい、充電構造の数より大きい、または充電構造の数より小さいあらゆる数である、［１０］に記載の装置。
［Ｃ１２］
無線周波数（ＲＦ）充電エネルギーを受信するように適合されたアンテナコイルと、
前記アンテナに結合された再充電可能な電力ソースと、前記アンテナコイルは、前記再充電可能な電力ソースに前記ＲＦ充電エネルギーを提供するように適合される、
を備える、手首装着型充電受信デバイス。
［Ｃ１３］
前記充電受信デバイスに関連付けられた金属含有アセンブリから前記アンテナンコイルを分離するフェライト磁気マテリアルをさらに備える、［１２］に記載の手首装着型充電受信デバイス。
［Ｃ１４］
前記金属含有アセンブリが電子回路アセンブリを備える、［１３］に記載の手首装着型充電受信デバイス。
［Ｃ１５］
前記アンテナコイルは、円筒コイル、平面コイル、およびプリントコイルから選ばれる、［１２］に記載の手首装着型充電受信デバイス。
［Ｃ１６］
前記プリントコイルは、軟質フィルム上で形成される、［１５］に記載の手首装着型充電受信デバイス。
［Ｃ１７］
充電エネルギーは、約６．７８ＭＨｚの周波数で転送される、［１２］に記載の手首装着型充電受信デバイス。
［Ｃ１８］
前記アンテナコイルは、前記手首装着型デバイスのボディの裏面に隣接した前記手首装着型デバイスに位置付けられる、［１２］に記載の手首装着型充電受信デバイス。
［Ｃ１９］
前記アンテナコイルは、前記手首装着型デバイス上のストラップに位置付けられる、［１２］に記載の手首装着型充電受信デバイス。
［Ｃ２０］
前記アンテナコイルは、前記再充電可能な電力ソースに近接して位置付けられる、［１２］に記載の手首装着型充電受信デバイス。
［Ｃ２１］
前記アンテナコイルは、前記手首装着型デバイスのボディの周りに巻かれる、［１２］に記載の手首装着型充電受信デバイス。
［Ｃ２２］
無線周波数（ＲＦ）充電エネルギーを受信するように適合されたアンテナコイルと、
前記アンテナに結合された再充電可能な電力ソースと、前記アンテナコイルは、前記再充電可能な電力ソースに前記ＲＦ充電エネルギーを提供するように適合される、
を備える、耳装着型充電受信デバイス。
［Ｃ２３］
前記充電受信デバイスに関連付けられた金属含有アセンブリから前記アンテナンコイルを分離するフェライト磁気マテリアルをさらに備える、［２２］に記載の耳装着型充電受信デバイス。
［Ｃ２４］
前記金属含有アセンブリが電子回路アセンブリを備える、［２３］に記載の耳装着型充電受信デバイス。
［Ｃ２５］
前記金属含有アセンブリが前記再充電可能な電力ソースを備える、［２３］に記載の耳装着型充電受信デバイス。
［Ｃ２６］
前記アンテナコイルは、円筒コイル、平面コイル、およびプリントコイルから選ばれる、［２２］に記載の耳装着型充電受信デバイス。
［Ｃ２７］
前記プリントコイルは、軟質フィルム上で形成される、［２６］に記載の耳装着型充電受信デバイス。
［Ｃ２８］
前記円筒コイルは、前記再充電可能な電力ソースの周りに巻き付けられる、［２６］に記載の耳装着型充電受信デバイス。
［Ｃ２９］
充電エネルギーは、約６．７８ＭＨｚの周波数で転送される、［２２］に記載の耳装着型充電受信デバイス。
［Ｃ３０］
無線周波数（ＲＦ）充電エネルギーを受信するように適合されたアンテナコイルと、
前記アンテナコイルに結合された再充電可能な電力ソースと、前記アンテナコイルは、前記再充電可能な電力ソースに前記ＲＦ充電エネルギーを提供するように適合される、
充電受信デバイスに関連付けられた金属含有アセンブリから前記アンテナンコイルを分離するフェライト磁気マテリアルと、
を備える、充電受信デバイス。
［Ｃ３１］
前記充電受信デバイスは、手首装着型デバイスおよび耳装着型デバイスから選ばれる、［３０］に記載の充電受信デバイス。
［Ｃ３２］
前記金属含有アセンブリが電子回路アセンブリを備える、［３０］に記載の充電受信デバイス。
［Ｃ３３］
前記金属含有アセンブリが前記再充電可能な電力ソースを備える、［３０］に記載の充電受信デバイス。
［Ｃ３４］
前記アンテナコイルは、円筒コイル、平面コイル、およびプリントコイルから選ばれる、［３０］に記載の充電受信デバイス。
［Ｃ３５］
前記プリントコイルは、軟質フィルム上で形成される、［３４］に記載の充電受信デバイス。
【国際調査報告】
2015501124.tif 000020
2015501124.tif 000021